(57)【要約】【課題】短焦点型プロジェクタ装置であっても、投射画像の少なくとも角領域の焦点距離を投射距離に応じた焦点距離に適切に自動調整することができるようにする。【解決手段】投射型画像表示装置は、光源と、前記光源から発せられた光束を一次像面となる画像変調素子の面上に均一照射する照明光学系と、投射画像の焦点距離を至近距離に設定可能であり、前記画像変調素子で変調された前記一次像面の画像情報を二次像面となる投影面上へ拡大投射する投射光学系と、前記投射画像の少なくとも角領域の焦点距離を、前記投射画像の投射距離に応じた焦点距離に自動調整可能なコーナーフォーカス制御部と、を備える。【選択図】図１
2015215378.tif 000002
【特許請求の範囲】
【請求項１】
光源と、
前記光源から発せられた光束を一次像面となる画像変調素子の面上に均一照射する照明光学系と、
投射画像の焦点距離を至近距離に設定可能であり、前記画像変調素子で変調された前記一次像面の画像情報を二次像面となる投影面上へ拡大投射する投射光学系と、
前記投射画像の少なくとも角領域の焦点距離を、前記投射画像の投射距離に応じた焦点距離に自動調整可能なコーナーフォーカス制御部と、
を備える、投射型画像表示装置。
【請求項２】
前記コーナーフォーカス制御部は、前記少なくとも角領域の焦点距離を、前記投射画像の投射距離及び拡大率に応じた焦点距離に自動調整可能に構成される、請求項１に記載の投射型画像表示装置。
【請求項３】
前記コーナーフォーカス制御部は、前記投射画像の拡大率に対応する前記投射距離と前記角領域の焦点距離との相関関係に基づいて、前記角領域の焦点距離を、前記投射画像の投射距離に応じた焦点距離に自動調整するよう構成される、請求項１に記載の投射型画像表示装置。
【請求項４】
前記角領域の焦点距離を前記投射距離に関連付けて記憶した少なくとも１つのプリセット値が設定され、前記コーナーフォーカス制御部は、ユーザにより選択されたプリセット値にしたがって前記角領域の焦点距離を自動調整するよう構成される、請求項１に記載の投射型画像表示装置。
【請求項５】
前記投射画像の少なくとも中央領域の焦点距離を調整可能なバックフォーカス制御部、及び前記投射画像の拡大率を調整可能なズーム制御部をさらに備え、
前記中央領域の焦点距離、前記角領域の焦点距離及び前記拡大率を前記投射画像の投射距離に応じて互いに関連付けて記憶した少なくとも１つのプリセット値群があらかじめ設定され、
前記バックフォーカス制御部、前記コーナーフォーカス制御部及び前記ズーム制御部は、ユーザにより選択されたプリセット値群にしたがって前記中央領域の焦点距離、前記角領域の焦点距離及び前記拡大率を自動調整するよう構成される、請求項１に記載の投射型画像表示装置。
【請求項６】
前記プリセット値群が、ユーザにより設定可能である、請求項５に記載の投射型画像表示装置。
【請求項７】
前記投射距離を検出する投射距離検出部を備え、
前記コーナーフォーカス制御部は、検出された投射距離に応じて前記角領域の焦点距離を自動調整するよう構成される、請求項１に記載の投射型画像表示装置。
【請求項８】
前記コーナーフォーカス制御部は、あらかじめ記憶した少なくとも二つの前記投射画像の拡大率に対応する前記投射距離と前記角領域の焦点距離との相関関係に基づき、設定されている前記投射画像の拡大率に応じた前記相関関係を求め、前記投射距離に応じた前記角領域の焦点距離を求めて前記自動調整を行うよう構成される、請求項７に記載の投射型画像表示装置。
【請求項９】
前記コーナーフォーカス制御部は、前記投射画像の拡大率の変更がされた場合に前記角領域の焦点距離を自動調整するよう構成される、請求項２に記載の投射型画像表示装置。
【請求項１０】
前記コーナーフォーカス制御部は、さらにユーザの操作にしたがって前記角領域の焦点距離を調整可能に構成される、請求項１に記載の投射型画像表示装置。
【請求項１１】
至近距離の投影面上へ拡大投射する投射画像の少なくとも角領域の焦点距離を、前記投射画像の投射距離に応じた焦点距離に自動調整する、投射型画像表示装置の制御方法。
【発明の詳細な説明】
【技術分野】
【０００１】
本開示は、投射型画像表示装置及び投射型画像表示装置の制御方法に関する。
【背景技術】
【０００２】
近年、スクリーン等の投影面上に投射画像を表示する投射型画像表示装置として、プロジェクタ装置が広く知られている。特に、最近では、投射空間を小さくしつつも大画面の画像を表示できる超広角のフロント投射型プロジェクタ装置の需要が高まってきている。超広角のフロント投射型プロジェクタ装置は、投射画像の焦点距離を至近距離に設定することができるものである（以下、このようなプロジェクタ装置を「短焦点型プロジェクタ装置」ともいう。）。短焦点型プロジェクタ装置を用いた場合、投影面に対して斜めかつ広角に画像を投射することで、限られた空間において大画面の画像を表示することができる。一般に、プロジェクタ装置は、設置時や画面サイズの変更時等において、投射画像の品質を最適な状態に調整して使用される。
【先行技術文献】
【特許文献】
【０００３】
【特許文献１】特開２０１４−３２４０２号公報
【発明の概要】
【発明が解決しようとする課題】
【０００４】
ところで、短焦点型プロジェクタ装置は、投影面に対する投射角度が大きく、かつ、画角が超広角となるがゆえに、投射画像の焦点をユーザが調整することは容易ではない。特に、投射角度が大きく、超広角で投射される投射画像の中央領域の焦点を合わせたとしても、投射画像の外側領域の焦点が合っていないことが生じ得る。
【０００５】
そこで、本開示では、短焦点型プロジェクタ装置であっても、投射画像の少なくとも角領域の焦点距離を投射距離に応じた焦点距離に適切に自動調整することが可能な、新規かつ改良された投射型画像表示装置及び投射型画像表示装置の制御方法を提案する。
【課題を解決するための手段】
【０００６】
本開示によれば、光源と、前記光源から発せられた光束を一次像面となる画像変調素子の面上に均一照射する照明光学系と、投射画像の焦点距離を至近距離に設定可能であり、前記画像変調素子で変調された前記一次像面の画像情報を二次像面となる投影面上へ拡大投射する投射光学系と、前記投射画像の少なくとも角領域の焦点距離を、前記投射画像の投射距離に応じた焦点距離に自動調整可能なコーナーフォーカス制御部と、を備える、投射型画像表示装置が提供される。
【０００７】
また、本開示によれば、至近距離の投影面上へ拡大投射する投射画像の少なくとも角領域の焦点距離を、前記投射画像の投射距離に応じた焦点距離に自動調整する、投射型画像表示装置の制御方法が提供される。
【発明の効果】
【０００８】
以上説明したように本開示によれば、短焦点型プロジェクタ装置であっても、投射画像の少なくとも角領域の焦点距離を投射距離に応じた焦点距離に適切に自動調整することができるようになる。
【０００９】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】本開示の第１の実施の形態に係る短焦点型プロジェクタ装置の概略構成例を示す説明図である。
【図２】同実施形態に係る短焦点型プロジェクタ装置の投射光学系を示す説明図である。
【図３】ズーム調整時のズームレンズの状態を示す説明図である。
【図４】ズーム調整に伴うシフト調整を示す説明図である。
【図５】同実施形態に係る表示処理装置の構成例を示す説明図である。
【図６】バックフォーカス自動調整時のバックフォーカスポテンショ値の線形演算について説明するために示す図である。
【図７】コーナーフォーカス自動調整時のコーナーフォーカスポテンショ値の演算について説明するために示す図である。
【図８】同実施形態に係る短焦点型プロジェクタ装置の画質調整の手順を示すフローチャートである。
【図９】ユーザによる短焦点型プロジェクタ装置の配置の手順の例を示すフローチャートである。
【図１０】短焦点型プロジェクタ装置の配置時に参照する、画面サイズ及び各距離を示す説明図である。
【図１１】短焦点型プロジェクタ装置の配置時に参照する、画面サイズ及び設置距離を示す説明図である
【図１２】表示処理装置によるプリセット自動調整処理の例を示すフローチャートである。
【図１３】パターン画面の一例を示す説明図である。
【図１４】表示処理装置によるバックフォーカス自動調整処理の例を示すフローチャートである。
【図１５】ユーザによる画枠歪み調整の手順の例を示すフローチャートである。
【図１６】筐体底面のアジャスタを示す説明図である。
【図１７】本開示の第２の実施の形態に係る短焦点型プロジェクタ装置の概略構成例を示す説明図である。
【図１８】同実施形態に係る表示処理装置の構成例を示す説明図である。
【図１９】投射距離と投射画像の拡大率とコーナーフォーカスポテンショ値との関係を示す説明図である。
【図２０】表示処理装置によるコーナーフォーカス自動調整処理の例を示すフローチャートである。
【図２１】同実施形態に係る短焦点型プロジェクタ装置の画質調整の手順を示すフローチャートである。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．第１の実施の形態
１．１．投射型画像表示装置の概要
１．２．短焦点型プロジェクタ装置の概略構成例
１．３．投射光学系の構成例
１．４．表示処理装置の構成例
１．４．１．プリセット値設定部
１．４．２．ズーム制御部
１．４．３．バックフォーカス制御部
１．４．４．コーナーフォーカス制御部
１．５．画質調整手順の例
２．第２の実施の形態
２．１．短焦点型プロジェクタ装置の概略構成例
２．２．表示処理装置の構成例
２．２．１．ズーム制御部
２．２．２．バックフォーカス制御部
２．２．３．コーナーフォーカス制御部
２．３．フォーカス調整手順の例
３．まとめ
【００１３】
＜１．第１の実施の形態＞
［１．１．投射型画像表示装置の概要］
まず、本開示の第１の実施の形態に係る投射型画像表示装置の概要について、短焦点型プロジェクタ装置を例に挙げて簡単に説明する。
【００１４】
短焦点型プロジェクタ装置は、投影面に対して上方側や下方側から斜めかつ広角に画像を投射し、投影面に大画面の映像を表示することができる投射型画像表示装置の一例である。短焦点型プロジェクタ装置は、投射画像の焦点距離を至近距離に設定することができ、短焦点型プロジェクタ装置を投影面から至近距離に設置できることから、限定された空間で大画面の表示が可能となっている。
【００１５】
ここで、短焦点型プロジェクタ装置は、投射画像を視聴者からさえぎることがないように、投射面に近接した位置の天井や床面に設置される。投影面に対して斜めかつ広角に投射画像を投射する場合、画面内の位置の違いによって短焦点型プロジェクタ装置のレンズからの距離の差が大きくなる。例えば、短焦点型プロジェクタ装置を床面に載置して使用する場合、画枠の下辺と上辺とでは、レンズからの距離が大きく異なる。そのために、画面全体の焦点距離をユーザが調整して、画質を最適にすることは容易ではない。
【００１６】
また、短焦点型プロジェクタ装置の光学系のレンズの設計時においては、投射画像の拡大率を変化させる際の焦点位置は、拡大側、縮小側に係らず一定である。一方、レンズの製造時においては、画面サイズの拡大側又は縮小側において焦点位置に対する感度が異なる。したがって、短焦点型プロジェクタ装置を実際に使用する際に、投射画像の焦点位置を光軸上で同じ位置に調整できるようにする必要性がある。さらに、短焦点型プロジェクタ装置が設置された室内の温度等の変化によって、レンズの屈折率や構成部品の線膨張の変化が発生し得る。この場合においても、焦点の位置が変化するため、投射画像の焦点距離を補正する機能が必要とされる。
【００１７】
そして、短焦点型プロジェクタ装置においては、投射画像の拡大率と、投射画像の中央領域及び周辺領域の焦点距離とが互いに関連し合っており、すべてをユーザ自身で調整することは容易ではない。以上のような背景から、本実施形態に係る短焦点型プロジェクタ装置は、焦点距離の調整を簡便に実行できるように構成されたものとなっている。
【００１８】
短焦点型プロジェクタ装置は、例えば、ＬＤ（レーザーダイオード）等の発光素子や高圧水銀ランプ等からなる光源から出射される光を、画像変調素子である液晶表示素子やＤＭＤ（デジタルマイクロミラーデバイス）等で変調して映像信号に応じた光学像を形成する。また、短焦点型プロジェクタ装置は、その形成された光学像を投射光学系で拡大投射して投影面上に表示するように構成されている。係る短焦点型プロジェクタ装置としては、Ｒ（赤）、Ｇ（緑）、Ｂ（青）の各色それぞれに対応するパネル状の表示素子を備えた、いわゆる三板式が広く知られている。
【００１９】
なお、本開示で説明する短焦点型プロジェクタ装置は、投射光学系が、例えば半画角にして７０°近辺という超広角に対応しているものとすることができる。
【００２０】
［１．２．短焦点型プロジェクタ装置の概略構成例］
次に、本実施形態に係る短焦点型プロジェクタ装置の概略構成について説明する。図１は、本実施形態に係る短焦点型プロジェクタ装置１００の概略構成例を示す説明図である。図１に示すように、短焦点型プロジェクタ装置１００は、筐体９０内に、光源４０と、照明光学系３０と、投射光学系１０とを備えている。また、短焦点型プロジェクタ装置１００は、操作パネル７０と、表示処理装置２００と、記憶部６０と、ドライバ回路５０とを備えている。係る短焦点型プロジェクタ装置１００には、ユーザによる操作を行うためのリモートコントローラ８０が付随して設けられている。
【００２１】
係る短焦点型プロジェクタ装置１００は、ユーザにより、所望の投射画面サイズに応じた投射距離に合わせて短焦点型プロジェクタ装置１００が設置されることを前提として構成されている。すなわち、ユーザは、取扱説明書等を参照して、投射画面サイズに応じた投射距離となるように短焦点型プロジェクタ１００を設置できるようになっている。
【００２２】
光源４０は、例えば、ＬＤ又は高圧水銀ランプ等からなり、照明光学系３０に対して光束を発するようになっている。
【００２３】
照明光学系３０は、光源４０から発せられた光束を、一次像面となる画像変調素子（液晶パネル）の面上に均一照射するようになっている。具体的には、照明光学系３０では、光源４０からの光束が、第１及び第２のフライアイレンズ、偏光変換素子及び集光レンズを透過する。これらを透過した光束は、特定の波長帯域の光だけを反射するダイクロイックミラーによってＲＧＢの各色成分光に分離される。ＲＧＢの各色成分光は、全反射ミラーやレンズ等を利用しつつ、ＲＧＢの各色に対応して設けられた液晶パネルに入射される。そして、各液晶パネルにて映像信号に応じた光変調が行われた後は、光変調された各色成分光がダイクロイックプリズムによって合成されて、投射光学系１０に向けて出射される。
【００２４】
なお、液晶パネルは、透過型又は反射型のいずれの液晶パネルであってもよい。また、画像変調素子としては、液晶パネル以外に、デジタルマイクロミラーデバイス（ＤＭＤ）等を用いることもできる。さらには、ダイクロイックプリズムに代えて、偏光ビームスプリッタ（ＰＢＳ）やＲＧＢ各色の映像信号を合成する色合成プリズム、ＴＩＲ（Ｔｏｔａｌ  Ｉｎｔｅｒｎａｌ  Ｒｅｆｌｅｃｔｉｏｎ）プリズム等を用いることもできる。
【００２５】
投射光学系１０は、照明光学系３０からの出射光を受け取り、照明光学系３０の液晶パネルで変調された一次像面の画像情報を、二次像面となる投影面ＳＣＲ上へ拡大投射する。投射光学系１０は、コーナーフォーカスレンズ１２と、ズームレンズ１４と、バックフォーカスレンズ１６とを備えている。
【００２６】
［１．３．投射光学系の構成例］
次に、投射画像の拡大率やフォーカスの調整に用いられる投射光学系１０の構成について具体的に説明する。
【００２７】
図２は、本実施形態に係る投射光学系１０の概略構成例を示す光路図である。図２に示すように、投射光学系１０は、正の屈折力を有する第１光学系Ｌ１と、凹面反射面を持つ第２光学系Ｌ２とを有している。第１光学系Ｌ１は、当該第１光学系Ｌ１を構成するすべての光学部品が回転対象面を有する共通の光軸を有している。また、第２光学系Ｌ２は、曲面反射面で構成され、第１光学系Ｌ１と共通の光軸を有している。係る第１光学系Ｌ１及び第２光学系Ｌ２を有することにより、投射光学系１０は、縮小側の一次像面から拡大側の二次像面へ拡大投射するように構成されている。すなわち、投射光学系１０は照明光学系３０で形成された一次像面の画像情報を、二次像面となる投影面ＳＣＲ上へ拡大投射するようになっている。
【００２８】
このような構成の投射光学系１０において、第１光学系Ｌ１は、一次像面の側から、正の屈折力を持つ光学系Ｌ１１と、負の屈折力を持つ光学系Ｌ１２とが配されて構成されている。そして、当該第１光学系Ｌ１から出射された光束は、第２光学系Ｌ２との間に中間像ＩＭを一旦結像させた後、当該第２光学系Ｌ２に入射するようになっている。
【００２９】
なお、図２中に示すＭ１には第１平面反射面が配置されることとなるが、この図においては便宜上ダミー面としている。
【００３０】
係る第１光学系Ｌ１のうちの光学系Ｌ１２が、投射画像の角領域の焦点距離（以下、「コーナーフォーカス」ともいう。）を調整するためのコーナーフォーカスレンズ１２としての機能を有している。光学系Ｌ１２の一部のレンズ群が光軸に沿って前後することによって、投射画像の画枠の角領域の焦点距離を調整することができる。投射画像の角領域の焦点距離を調整することは、すなわち、投射画像の外側領域の焦点距離を調整することと言うこともできる。コーナーフォーカスレンズ１２の位置は、例えば、表示処理装置２００によって制御されるコーナーフォーカスレンズ駆動モータにより移動させることができる。また、コーナーフォーカスレンズ１２の位置は、例えば、図示しないコーナーフォーカスポテンショメータにより検出可能となっている。本実施形態に係る短焦点型プロジェクタ装置１００は、床面に設置されて使用されるものであり、コーナーフォーカスレンズ１２は主として画枠の上側の角領域の焦点距離を調整するものとなっている。
【００３１】
また、第１光学系Ｌ１のうちの光学系Ｌ１１が、投射画像の拡大率（以下、「ズーム」ともいう。）を調整するためのズームレンズ１４としての機能を有している。光学系Ｌ１１を構成するレンズ群の間隔を変えることによって、投射画像の拡大率を調整することができる。また、本実施形態に係る投射光学系１０は、投射画像の拡大率に応じて、光学系Ｌ１１が光軸に直交する方向に移動し、投射画像の高さ位置がシフト調整されるようになっている。ズームレンズ１４の位置は、例えば、表示処理装置２００によって制御されるズームレンズ駆動モータにより移動させることができる。また、ズームレンズ１４の位置は、例えば、図示しないズームポテンショメータにより検出可能となっている。
【００３２】
図３及び図４は、本実施形態に係る投射光学系１０のズームレンズ１４の動作及び機能を示す説明図である。図３の上段は、投射画像の拡大率を最大（Ｗｉｄｅ）としたときの投射光学系１０の状態を示し、図３の下段は、投射画像の拡大率を最小（Ｔｅｌｅ）としたときの投射光学系１０の状態を示している。係る図３に示すように、投射画像の拡大率がＷｉｄｅの状態とＴｅｌｅの状態とを比較すると、ズームレンズ１４のレンズ間隔が異なっているだけでなく、ズームレンズ１４の高さ位置がシフトしている。これにより、図４に示すように、投射画像の拡大率がＴｅｌｅの状態において、投射画像が下方にずれることを防ぎ、適切な位置に投射画像を表示することができる。
【００３３】
また、光学系Ｌ１１は、投射画像の中央領域の焦点距離（以下、「バックフォーカス」ともいう。）を調整するためのバックフォーカスレンズ１６を含んで構成されている。光学系Ｌ１１のレンズ群のうち、照明光学系３０側にバックフォーカスレンズ１６が配されている。バックフォーカスレンズ１６を光軸方向に前後することにより、投射画像のバックフォーカスを調整することができる。バックフォーカスレンズ１６の位置は、例えば、表示処理装置２００によって制御されるバックフォーカスレンズ駆動モータにより移動させることができる。また、バックフォーカスレンズ１６の位置は、例えば、図示しないバックフォーカスポテンショメータにより検出可能となっている。
【００３４】
［１．４．表示処理装置の構成例］
次に、投射光学系１０の制御を行う表示処理装置２００の構成例について説明する。図５は、表示処理装置２００及びドライバ回路５０の構成を機能的なブロックで示す説明図である。本実施形態に係る表示処理装置２００は、バックフォーカス制御部２００ａと、コーナーフォーカス制御部２００ｂと、ズーム制御部２００ｃと、プリセット値設定部２００ｄとを有している。これらの各制御部は、具体的には、マイクロコンピュータ等によるプログラムの実行により実現される機能である。表示処理装置２００には、リモートコントローラ８０及び操作パネル７０の操作信号や、バックフォーカスポテンショメータ、コーナーフォーカスポテンショメータ及びズームポテンショメータの検出信号が入力される。また、ドライバ回路５０は、バックフォーカスレンズ駆動回路５０ａと、コーナーフォーカスレンズ駆動回路５０ｂと、ズームレンズ駆動回路５０ｃとを有している。
【００３５】
また、図１に示すように、本実施形態に係る表示処理装置２００を操作するためのリモートコントローラ８０には、「Ｐｉｃｔｕｒｅ  Ｐｏｓｉｔｉｏｎ」として三つのプリセットボタンＣｕｓｔｏｍ１，Ｃｕｓｔｏｍ２，Ｃｕｓｔｏｍ３が設けられている。プリセットボタンの数は、一つ又は二つであってもよく、あるいは、四つ以上であってもよい。三つのプリセットボタンＣｕｓｔｏｍ１，Ｃｕｓｔｏｍ２，Ｃｕｓｔｏｍ３には、それぞれコーナーフォーカスレンズ１２の位置と、ズームレンズ１４の位置と、バックフォーカスレンズ１６の位置とが互いに関連付けられて、あらかじめ記憶部６０に記憶されている。また、各レンズ位置は、ポテンショメータのポテンショ値として表すことができる。
【００３６】
本実施形態では、プリセットボタンＣｕｓｔｏｍ１が大画面用、プリセットボタンＣｕｓｔｏｍ２が中画面用、Ｃｕｓｔｏｍ３が小画面用に初期設定されている。したがって、ユーザが、所望の投射画面サイズに対応するプリセットボタンを選択することにより、バックフォーカス制御部２００ａ、コーナーフォーカス制御部２００ｂ、ズーム制御部２００ｃは、記憶されたプリセット値群からそれぞれ対応するプリセット値を読み出すようになっている。
【００３７】
このとき、プリセット値群の初期設定値は、投射距離が所望の投射画面サイズに応じた投射距離となるように、短焦点型プロジェクタ装置１００がユーザによって設置されていることを想定した値となっている。「投射距離」とは、短焦点型プロジェクタ装置１００から投影面までの距離を意味しており、短焦点型プロジェクタ装置１００の適宜の位置から投影面までの直線距離として定義することができる。例えば、短焦点型プロジェクタ装置１００の投影面側の面の特定の位置から投影面までの距離としてもよいし、投射画像を投射するレンズの位置から投影面までの距離としてもよい。
【００３８】
また、リモートコントローラ８０には、「Ｌｅｎｓ  Ａｄｊｕｓｔｍｅｎｔ」として三つの画質調整ボタンＺｏｏｍ，Ｆｏｃｕｓ，ＣｏｒｎｅｒＣｏｒｒｅｃｔｉｏｎが設けられている。さらに、リモートコントローラ８０には、矢印ボタン及び画質調整パターン表示ボタンＰａｔｔｅｒｎが設けられている。リモートコントローラ８０に設けられたこれらの操作ボタンの機能は、操作パネル７０によっても選択可能になっている。
【００３９】
（１．４．１．プリセット値設定部）
プリセット値設定部２００ｄは、ズームレンズ１４の位置、バックフォーカスレンズ１６の位置、コーナーフォーカスレンズ１２の位置の組み合わせからなるプリセット値群を記憶部６０に記憶させる機能を有する。例えば、プリセット値設定部２００ｄは、ユーザによるリモートコントローラ８０や操作パネル７０等の操作によって、適宜のズームレンズ１４の位置、バックフォーカスレンズ１６の位置、コーナーフォーカスレンズ１２の位置の組み合わせを、記憶部６０に記憶させる。
【００４０】
ユーザは、投射画像の拡大率やバックフォーカス、コーナーフォーカスの調整を終えた状態で、リモートコントローラ８０又は操作パネル７０を操作して、そのときのプリセット値群を記憶部６０に記憶させることができる。あるいは、使用頻度の高いズームレンズ１４の位置、バックフォーカスレンズ１６の位置、コーナーフォーカスレンズ１２の位置の組み合わせをプリセット値設定部２００ｄが自動で認識して、記憶部６０に記憶させるようにしてもよい。所望のプリセット値群を記憶部６０に記憶させておくことができれば、使用頻度の高い画面サイズの画像表示をする際に、画質の調整を容易に行うことができるようになる。
【００４１】
このとき、プリセット値設定部２００ｄは、あらかじめ記憶部６０に記憶された、プリセットボタンにより呼び出されるプリセット値群の初期設定値を、新たなプリセット値群で上書き保存できるように構成することができる。あるいは、プリセット値設定部２００ｄは、プリセットボタンとは別の操作によって呼び出すことができるようにして、プリセット値群を記憶部６０に記憶させるようにしてもよい。
【００４２】
（１．４．２．ズーム制御部）
ズーム制御部２００ｃは、ズームレンズ駆動回路５０ｃに対してズームレンズ駆動モータの駆動指令を出力する。本実施形態に係る表示処理装置２００では、ズーム制御部２００ｃは、あらかじめ設定された複数のプリセットボタンの中から、ユーザにより選択されたプリセットボタンに紐づけられたプリセット値にしたがって投射画像の拡大率を自動調整可能になっている。また、ズーム制御部２００ｃは、ユーザの操作にしたがって投射画像の拡大率を調整可能になっている。
【００４３】
ユーザは、リモートコントローラ８０又は操作パネル７０を操作することにより、投射画像の拡大率を調整することができる。例えば、投射画像の拡大率をプリセット値により自動調整する場合には、ユーザが、所望の投射画面サイズに応じて、リモートコントローラ８０や操作パネル７０のプリセットボタンを選択する。これにより、ズーム制御部２００ｃは、選択されたプリセットボタンに紐づけられたプリセット値を読み出し、対応する位置へとズームレンズ１４を移動させる駆動指令を、ズームレンズ駆動回路５０ｃに出力する。本実施形態に係る短焦点型プロジェクタ装置１００では、三つのプリセットボタンに紐づけられた投射画面の拡大率のプリセット値の初期値は、すべて拡大側（Ｗｉｄｅ）の最大値に設定されている。
【００４４】
また、ユーザが、リモートコントローラ８０や操作パネル７０によりＺｏｏｍボタンを選択すると、ユーザの入力操作による投射画像の拡大率の調整が可能になる。この場合には、リモートコントローラ８０や操作パネル７０の矢印ボタンをユーザが操作することにより、その入力にしたがって、ズーム制御部２００ｃはズームレンズ駆動回路５０ｃに対して駆動指令を出力する。
【００４５】
このように、本実施形態に係る短焦点型プロジェクタ装置１００は、プリセットボタンを押下することによる投射画像の拡大率の自動調整が実行されるようになっている。また、本実施形態に係る短焦点型プロジェクタ装置１００は、ユーザの入力操作による拡大率の調整も可能になっている。したがって、投射画像の画面サイズを比較的容易に調整することができる。
【００４６】
（１．４．３．バックフォーカス制御部）
バックフォーカス制御部２００ａは、バックフォーカスレンズ駆動回路５０ａに対してバックフォーカスレンズ駆動モータの駆動指令を出力する。本実施形態に係る表示処理装置２００では、バックフォーカス制御部２００ａは、あらかじめ設定された複数のプリセット値の中から、ユーザの選択にしたがってバックフォーカスを自動調整可能になっている。また、バックフォーカス制御部２００ａは、現在の投射画像の拡大率に基づいて、バックフォーカスを自動調整可能になっている。さらに、バックフォーカス制御部２００ａは、ユーザの操作にしたがってバックフォーカスを調整可能になっている。
【００４７】
ユーザは、リモートコントローラ８０又は操作パネル７０を操作することにより、バックフォーカスを調整することができる。例えば、バックフォーカスをプリセット値により自動調整する場合には、ユーザが、所望の投射画面サイズに応じて、リモートコントローラ８０や操作パネル７０のプリセットボタンを選択する。これにより、投射画像の拡大率の自動調整と同様に、プリセット値に基づくバックフォーカスの自動調整が行われる。
【００４８】
具体的に、バックフォーカス制御部２００ａは、選択されたプリセットボタンに紐づけられたプリセット値を読み出し、対応する位置へとバックフォーカスレンズ１６を移動させる駆動指令を、バックフォーカスレンズ駆動回路５０ａに出力する。本実施形態に係る短焦点型プロジェクタ装置１００では、バックフォーカスのプリセット値の初期値は、投射画像の拡大率がすべて拡大側（Ｗｉｄｅ）に設定されている前提で、基準となる三つの投射画面サイズに適した値とされている。
【００４９】
また、ユーザが、リモートコントローラ８０や操作パネル７０によりＦｏｃｕｓボタンを選択すると、バックフォーカス制御部２００ａは、現在のズームレンズ１４の位置を示すズームポテンショ値を読み込む。また、バックフォーカス制御部２００ａは、ズームレンズ１４の位置に応じたバックフォーカスレンズ１６の位置を表すバックフォーカスポテンショ値を算出する。そして、バックフォーカス制御部２００ａは、算出した位置へとバックフォーカスレンズ１６を移動させる駆動指令を、バックフォーカスレンズ駆動回路５０ａに出力する。
【００５０】
図６は、本実施形態に係る表示処理装置２００において、ズームレンズ１４の位置に応じてバックフォーカスレンズ１６の位置を求める方法の一例を示す説明図である。本実施形態では、三点の投射画像の基準拡大率Ｚ＿ｗｉｄｅ，Ｚ＿ｍｉｄ，Ｚ＿ｔｅｌｅのズームポテンショ値に対応するバックフォーカスポテンショ値の最適値Ｂ＿ｗｉｄｅ，Ｂ＿ｍｉｄ，Ｂ＿ｔｅｌｅがあらかじめ記憶部６０に記憶されている。読み込んだ現在のズームポテンショ値が二つの基準位置Ｚ＿ｔｅｌｅ，Ｚ＿ｍｉｄの間であれば、バックフォーカス制御部２００ａは、線形演算（ａ）により対応するバックフォーカスポテンショ値を算出する。バックフォーカス制御部２００ａは、線形演算（ａ）の領域では、以下の式（１）により、検出されるズームポテンショ値（ｘ１）に対応するバックフォーカスポテンショ値（ｙ１）を算出する。
【００５１】
【数１】
2015215378.tif 000003
【００５２】
また、読み込んだ現在のズームポテンショ値が二つの基準位置Ｚ＿ｍｉｄ，Ｚ＿ｗｉｄｅの間であれば、バックフォーカス制御部２００ａは、線形演算（ｂ）により対応するバックフォーカスポテンショ値を算出する。バックフォーカス制御部２００ａは、線形演算（ｂ）の領域では、以下の式（２）により、検出されるズームポテンショ値（ｘ２）に対応するバックフォーカスポテンショ値（ｙ２）を算出する。
【００５３】
【数２】
2015215378.tif 000004
【００５４】
なお、本実施形態では、三点の基準拡大率のズームポテンショ値に対応するバックフォーカスポテンショ値を基に線形演算することとしているが、二点としてもよいし四点以上としてもよい。
【００５５】
本実施形態の表示処理装置２００においては、ユーザがＦｏｃｕｓボタンを選択し、現在のズームレンズ１４の位置に基づいてバックフォーカスレンズ１６の位置の自動調整が終了すると、ユーザの入力操作によるバックフォーカスの調整が開放される。したがって、バックフォーカスの自動調整後は、リモートコントローラ８０や操作パネル７０の矢印ボタンをユーザが操作することにより、その入力にしたがって、バックフォーカス制御部２００ａはバックフォーカスレンズ駆動回路５０ａに対して駆動指令を出力する。
【００５６】
このように、本実施形態に係る短焦点型プロジェクタ装置１００は、プリセットボタン及びＦｏｃｕｓボタン、あるいは、Ｆｏｃｕｓボタンを押下することによるバックフォーカスの自動調整が実行されるようになっている。また、本実施形態に係る短焦点型プロジェクタ装置１００は、ユーザの入力操作によるバックフォーカスの調整も可能になっている。したがって、投射画像のバックフォーカスを比較的容易に調整することができる。その結果、投射画像の画質が最適な状態にされやすくなっている。係るバックフォーカスの調整は、画質調整パターン表示ボタンＰａｔｔｅｒｎを押下することにより表示されるパターン画面を表示させた状態で実行するようにしてもよい。
【００５７】
（１．４．４．コーナーフォーカス制御部）
コーナーフォーカス制御部２００ｂは、コーナーフォーカスレンズ駆動回路５０ｂに対してコーナーフォーカスレンズ駆動モータの駆動指令を出力する。本実施形態に係る表示処理装置２００では、コーナーフォーカス制御部２００ｂは、リモートコントローラ８０等に設けられた複数のプリセットボタンの中から、ユーザにより選択されたプリセットボタンに紐づけられたプリセット値にしたがってコーナーフォーカスを自動調整可能になっている。
【００５８】
本実施形態に係る短焦点型プロジェクタ装置１００においては、投射光学系１０の投射画像の拡大率と、投射距離と、コーナーフォーカスレンズ１２の位置との相関関係を表す関係式があらかじめ求められている。投射距離は、投射画面サイズに相当する。コーナーフォーカス制御部２００ｂは、コーナーフォーカスレンズ１２の位置が、投射画像の所定の拡大率及び投射距離に応じた位置となるようにコーナーフォーカスの自動調整を行う。
【００５９】
図７は、投射画面の拡大率と、投射画像の投射距離と、コーナーフォーカスポテンショ値との関係を表す特性図を示している。投射距離をｘ３、コーナーフォーカスポテンショ値をｙ３とすると、図７に示された特性曲線は、以下の式（３）で表すことができる。
【００６０】
【数３】
2015215378.tif 000005
【００６１】
すなわち、コーナーフォーカスポテンショ値（ｙ３）は、投射距離（ｘ３）の二次式で表される。係る特性式は、使用するレンズを用いて、基準となる投射画像の拡大率ごとに実測した値を基に求めることができる。係る特性式によれば、投射距離（ｘ３）の二次の項及び一次の項の係数ａ，ｂは、使用するレンズ等が決まれば、拡大率にかかわらず共通の値となる一方、拡大率によって定数項ｃ＿ｚｏｏｍの値は異なる。本実施形態では、投射画像の拡大側（Ｗｉｄｅ）、縮小側（Ｔｅｌｅ）及びその中間（Ｍｉｄ）の状態の三点の特性曲線があらかじめ求められて記憶部６０に記憶されている。また、それぞれのプリセットボタンに紐づけられたコーナーフォーカスのプリセット値の初期設定値は、投射画面の拡大率のプリセット値である拡大側（Ｗｉｄｅ）の特性曲線を用いて、各プリセットボタンに対応する投射画面サイズに応じた投射距離に基づき決定されている（図７のＣ＿ｃｕｓｔｏｍ１，Ｃ＿ｃｕｓｔｏｍ２，Ｃ＿ｃｕｓｔｏｍ３）。
【００６２】
コーナーフォーカスをプリセット値により自動調整する場合には、ユーザは、所望の投射画面サイズに応じて、リモートコントローラ８０や操作パネル７０のプリセットボタンを選択する。これにより、投射画像の拡大率やバックフォーカスの自動調整と同様に、プリセット値に基づくコーナーフォーカスの自動調整が行われる。具体的に、コーナーフォーカス制御部２００ｂは、選択されたプリセットボタンに紐づけられたプリセット値を読み出し、対応する位置へとコーナーフォーカスレンズ１２を移動させる駆動指令を、コーナーフォーカスレンズ駆動回路５０ｂに出力する。
【００６３】
また、本実施形態に係る表示処理装置２００では、ユーザが、リモートコントローラ８０や操作パネル７０によりＣｏｒｎｅｒＣｏｒｒｅｃｔｉｏｎボタンを選択すると、ユーザの入力操作によるコーナーフォーカスの調整が可能になる。この場合には、リモートコントローラ８０や操作パネル７０の矢印ボタンをユーザが操作することにより、その入力にしたがって、コーナーフォーカス制御部２００ｂはコーナーフォーカスレンズ駆動回路５０ｂに対して駆動指令を出力する。
【００６４】
このように、本実施形態に係る短焦点型プロジェクタ装置１００は、プリセットボタンを押下することによるコーナーフォーカスの自動調整が実行可能になっている。また、本実施形態に係る短焦点型プロジェクタ装置１００は、ユーザの入力操作によるコーナーフォーカスの調整も可能になっている。したがって、投射画像のコーナーフォーカスを比較的容易に調整することができる。その結果、投射画像の画質が最適な状態にされやすくなっている。係るコーナーフォーカスの調整は、画質調整パターン表示ボタンＰａｔｔｅｒｎを押下することにより表示されるパターン画面を表示させた状態で実行するようにしてもよい。
【００６５】
［１．５．画質調整手順の例］
次に、短焦点型プロジェクタ装置１００の画質調整の手順の例について説明する。図８は、本実施形態に係る短焦点型プロジェクタ装置１００の画質調整手順の一例を示すフローチャートである。以下に説明する画質調整手順は、短焦点型プロジェクタ装置１００の設置時に行われる手順の例である。
【００６６】
まず、ステップＳ１００において、ユーザが、短焦点型プロジェクタ装置１００を所定の位置に配置する。短焦点型プロジェクタ装置１００の配置手順の一例を図９に示す。短焦点型プロジェクタ装置１００を配置するにあたり、まず、ユーザは、ステップＳ１１０において、投影面ＳＣＲの大きさ等に応じて投射画面サイズを決定する。次いで、ユーザは、ステップＳ１２０において、投射画面サイズに応じて、投影面ＳＣＲに対する短焦点型プロジェクタ装置１００の設置距離を決定する。このとき、ユーザは、図１０及び図１１に例示される、投射画面サイズに適した短焦点型プロジェクタ装置１００の設置距離の情報を参照して、設置距離を決定するようにしてもよい。次いで、ユーザは、ステップＳ１３０において、設置距離に合わせて短焦点型プロジェクタ装置１００を配置する。これにより、短焦点型プロジェクタ装置１００の配置が完了する。
【００６７】
図８に戻り、短焦点型プロジェクタ装置１００の配置が完了すると、次いで、ステップＳ２００において、ユーザは、短焦点型プロジェクタ装置１００の電源をオンにした後、投射画面サイズに対応するプリセットボタンＣｕｓｔｏｍ１，Ｃｕｓｔｏｍ２，Ｃｕｓｔｏｍ３を選択する。ユーザは、取扱説明書等において、プリセットボタンＣｕｓｔｏｍ１，Ｃｕｓｔｏｍ２，Ｃｕｓｔｏｍ３それぞれに対応する投射画面サイズを参照可能になっている。
【００６８】
次いで、ステップＳ３００において、表示処理装置２００は、選択されたプリセットボタンＣｕｓｔｏｍ１，Ｃｕｓｔｏｍ２，Ｃｕｓｔｏｍ３にしたがって、ズーム、バックフォーカス、コーナーフォーカスのプリセット自動調整を実行する。図１２は、プリセット自動調整の一例を示すフローチャートである。プリセット自動調整を実行するにあたり、表示処理装置２００は、まず、ステップＳ３１０において、選択されたプリセットボタンに紐づけられたズームポテンショ値、バックフォーカスポテンショ値、コーナーフォーカスポテンショ値を読み出す。次いで、表示処理装置２００は、ステップＳ３２０〜ステップＳ３４０において、ズームレンズ駆動回路５０ｃ、バックフォーカスレンズ駆動回路５０ａ、コーナーフォーカスレンズ駆動回路５０ｂに対して、各レンズの位置を、ステップＳ３１０で読み出したポテンショ値に移動するよう駆動指令を出力する。これにより、プリセット自動調整が完了する。
【００６９】
図８に戻り、プリセット自動調整が実行された後、ステップＳ４００において、ユーザが画質調整パターン表示ボタンＰａｔｔｅｒｎを押下することにともなって、ステップＳ５００において、表示処理装置２００は、パターン画面を投影面ＳＣＲ上に投射する。図１３に、パターン画面の一例を示す。画質調整時には、バックフォーカスとコーナーフォーカスとの調整が行われるため、パターン画面は、画面の中央及び角領域に十字パターンを有している。各フォーカス調整の処理時には、これらの十字パターンの焦点が合うようにフォーカス調整が行われる。
【００７０】
次いで、ステップＳ６００において、ユーザは、投射画像の拡大率の調整を実施するか否かを決定する。ユーザがＺｏｏｍボタンを押下しなければ（Ｓ６００：Ｎｏ）、そのままステップＳ８００に進む。一方、ユーザによりＺｏｏｍボタンが押下された場合には（Ｓ６００：Ｙｅｓ）、ステップＳ７００において、表示処理装置２００は、ユーザによる矢印ボタンの操作にしたがってズームレンズ駆動回路５０ｃに駆動指令を出力し、ズームレンズ１４の位置を移動する。投射画像の拡大率の調整が終了すると、ユーザは決定ボタンを押下する。
【００７１】
次いで、ステップＳ８００において、ユーザは、投射画像のバックフォーカスの調整を実施するか否かを決定する。ユーザがＦｏｃｕｓボタンを押下しなければ（Ｓ８００：Ｎｏ）、そのままステップＳ１１００に進む。一方、ユーザによりＦｏｃｕｓボタンが押下された場合には（Ｓ８００：Ｙｅｓ）、ステップＳ９００において、表示処理装置２００は、バックフォーカスの自動調整処理を実行する。
【００７２】
図１４は、バックフォーカスの自動調整の処理例を示すフローチャートである。バックフォーカスの自動調整を実行するにあたり、表示処理装置２００は、まず、ステップＳ９１０において、ズームレンズ１４の位置が変更されているか否かを判別する。短焦点型プロジェクタ装置１００を初めて設置する場合においては、表示処理装置２００は、ズームレンズ１４の位置が変更されているものとして判定する。ズームレンズ１４の位置が変更されている場合（Ｓ９１０：Ｙｅｓ）、表示処理装置２００は、ステップＳ９２０において、現在のズームポテンショ値を検出する。次いで、表示処理装置２００は、ステップＳ９３０において、図６に示すようなズームポテンショ値とバックフォーカスポテンショ値との関係を利用して、検出されたズームポテンショ値に基づき、バックフォーカスポテンショ値を線形演算する。
【００７３】
次いで、表示処理装置２００は、ステップＳ９４０において、算出されたバックフォーカスポテンショ値の位置にバックフォーカスレンズ１６を移動するよう、バックフォーカスレンズ駆動回路５０ａに駆動指令を出力する。バックフォーカスレンズ駆動回路５０ａへの駆動指令を出力した後には、表示処理装置２００は、ステップＳ９５０において、ユーザによるバックフォーカス調整を開放する。一方、先のステップＳ９１０において、ズームレンズ１４の位置が変更されていない場合には（Ｓ９１０：Ｎｏ）、そのままステップＳ９５０に進み、表示処理装置２００は、ユーザによるバックフォーカス調整を開放する。これにより、バックフォーカス自動調整処理が完了する。
【００７４】
バックフォーカスの自動調整処理の終了後、ステップＳ１０００において、ユーザは必要に応じて矢印ボタンを操作し、バックフォーカスをさらに調整する。このとき、表示処理装置２００は、ユーザによる矢印ボタンの操作にしたがってバックフォーカスレンズ駆動回路５０ａに駆動指令を出力し、バックフォーカスレンズ１６の位置を移動する。バックフォーカスの調整が終了すると、ユーザは決定ボタンを押下する。
【００７５】
次いで、ステップＳ１１００において、ユーザは、投射画像のコーナーフォーカスの調整を実施するか否かを決定する。ユーザがＣｏｒｎｅｒＣｏｒｒｅｃｔｉｏｎボタンを押下しなければ（Ｓ１１００：Ｎｏ）、そのままステップＳ１３００に進む。一方、ユーザによりＣｏｒｎｅｒＣｏｒｒｅｃｔｉｏｎボタンが押下された場合には（Ｓ１１００：Ｙｅｓ）、ステップＳ１２００において、表示処理装置２００は、ユーザによる矢印ボタンの操作にしたがってコーナーフォーカスレンズ駆動回路５０ｂに駆動指令を出力し、コーナーフォーカスレンズ１２の位置を移動する。コーナーフォーカスの調整が終了すると、ユーザは決定ボタンを押下する。
【００７６】
次いで、ステップＳ１３００において、ユーザは、投影面ＳＣＲに投射された投射画像の画枠が歪んでいないか判別する。画枠に歪みが有ると判定した場合には（Ｓ１３００：Ｎｏ）、ステップＳ１４００に進み、ユーザは、短焦点型プロジェクタ装置１００の配置状態を物理的に変更して画枠の歪み調整を行う。
【００７７】
図１５は、ユーザによる画枠の歪み調整を示すフローチャートである。歪み調整を実行するにあたり、ユーザは、まず、ステップＳ１４１０において、画枠の上辺と下辺とが平行になっているか否かを判別する。画枠の上辺と下辺とが平行になっている場合には（Ｓ１４１０：Ｙｅｓ）、そのままステップＳ１４３０に進む。一方、画枠の上辺と下辺とが平行になっていない場合には（Ｓ１４１０：Ｎｏ）、ステップＳ１４２０において、ユーザは、投影面ＳＣＲに対する短焦点型プロジェクタ装置１００の傾きを調整する。すなわち、図１６に示すように、ユーザは、筐体９０の右側又は左側の端部と投影面ＳＣＲとの距離を調整し、画枠の上辺と下辺とが平行になるようにする。
【００７８】
次いで、ユーザは、ステップＳ１４３０において、画枠の下辺が水平になっているか否かを判別する。画枠の下辺が水平になっている場合には（Ｓ１４３０：Ｙｅｓ）、そのままステップＳ１４５０に進む。一方、画枠の下辺が水平になっていない場合には（Ｓ１４３０：Ｎｏ）、ステップＳ１４４０において、ユーザは、水平面に対する短焦点型プロジェクタ装置１００の左右の傾きを調整する。すなわち、図１６に示すように、ユーザは、筐体９０の底面に設けられたアジャスタ９５ａ〜９５ｆのうち、左右のアジャスタ９５ａ，９５ｂ，９５ｅ，９５ｆの高さを適宜調整し、画枠の下辺が水平になるようにする。
【００７９】
次いで、ユーザは、ステップＳ１４５０において、画枠の左右辺が垂直になっているか否かを判別する。画枠の左右辺が垂直になっている場合には（Ｓ１４５０：Ｙｅｓ）、画枠の歪み調整を終了する。一方、画枠の左右辺が垂直になっていない場合には（Ｓ１４５０：Ｎｏ）、ユーザは、ステップＳ１４６０において、水平面に対する短焦点型プロジェクタ装置１００の前後の傾きを調整する。すなわち、図１６に示すように、ユーザは、筐体９０の底面に設けられたアジャスタ９５ａ〜９５ｆのうち、手前側（投影面側とは反対側）のアジャスタ（あおりアジャスタ）９５ｂ、９５ｄ、９５ｆの高さを適宜調整し、画枠の左右辺が垂直になるようにする。これにより、画枠の歪み調整が完了する。
【００８０】
図８に戻り、ステップＳ１４００の画枠の歪み調整が終わった後は、投射画面サイズや、投射画像の焦点距離がずれているおそれがあるために、ステップＳ６００に戻り、上述のフローにしたがって各ステップの動作又は処理を繰り返す。最終的に、ステップＳ１３００において、投射画像のフォーカスが適切な状態になり、画枠の歪みもないとユーザが判定した場合には（Ｓ１３００：Ｙｅｓ）、画質調整を終了する。
【００８１】
以上説明したように、本実施形態に係る短焦点型プロジェクタ装置１００によれば、コーナーフォーカス及びバックフォーカスが自動調整されるようになっている。したがって、ユーザによるフォーカス調整が比較的難しい短焦点型プロジェクタ装置であっても、投射画像のフォーカス調整を比較的容易に実施することができる。
【００８２】
また、本実施形態に係る短焦点型プロジェクタ装置１００によれば、ユーザが、リモートコントローラ８０や操作パネル７０を操作して、投射画面のコーナーフォーカス及びバックフォーカスを調整できるようになっている。したがって、投射画像のフォーカス調整を、ユーザの操作にしたがって全画面で実施することができる。その結果、投射画像の拡大率の調整をユーザによって実施させることができるようになる。そのため、本実施形態に係る短焦点型プロジェクタ装置１００は、ユーザの所望の画面サイズの投射画像を高画質で投射することができる。
【００８３】
なお、ズーム調整、バックフォーカス調整、コーナーフォーカス調整をユーザの操作にしたがって行う場合には、この順序で実行することにより全体をバランスよく調整することが容易になる。したがって、ズーム調整、バックフォーカス調整、コーナーフォーカス調整の順序を取扱説明書等に示しておき、ユーザがこの順序で画質調整を行うように促すようにしてもよい。また、画枠の歪みの調整についても、図１５で説明した手順で実行することにより歪みを解消しやすいことから、歪み調整の手順を取扱説明書等に示しておき、ユーザがこの順序で画質調整を行うように促すようにしてもよい。
【００８４】
＜２．第２の実施の形態＞
次に、本開示の第２の実施の形態に係る投射型画像表示装置について説明する。本実施形態に係る投射型画像表示装置は、基本的に第１の実施の形態に係る短焦点型プロジェクタ装置と同様の構成を有している。ただし、本実施形態に係る短焦点型プロジェクタ装置は、投射距離を検出する投射距離センサを備え、当該投射距離センサにより検出された投射距離に基づいて、コーナーフォーカスの自動調整を実行可能に構成されている。
【００８５】
［２．１．投射型画像表示装置の概略構成例］
図１７は、本実施形態に係る短焦点型プロジェクタ装置３００の概略構成例を示す説明図である。筐体９０、光源４０、照明光学系３０、投射光学系１０、操作パネル７０、及び記憶部６０は、第１の実施の形態に係る短焦点型プロジェクタ装置１００のものと同じ構成とすることができる。また、短焦点型プロジェクタ装置３００においても、ユーザによる操作を行うためのリモートコントローラ８０が付随して設けられている。
【００８６】
一方、本実施形態に係る短焦点型プロジェクタ装置３００は、投射画像の投射距離を検出する投射距離センサ９５を備えている。本実施形態に係る短焦点型プロジェクタ装置３００は、プリセット自動調整機能を有していない。その代わりに、短焦点型プロジェクタ装置３００は、投射距離センサ９５により検出される投射距離に基づくフォーカスの自動調整機能を有している。投射距離センサ９５は、投射距離検出部の一例であって、短焦点型プロジェクタ装置３００から投影面までの距離として定義される所定の投射距離を検出するためのセンサである。例えば、赤外線型距離センサやレーザ距離センサ、超音波式距離センサ等、従来公知の距離センサを使用することができる。
【００８７】
［２．２．表示処理装置の構成例］
次に、投射光学系１０の制御を行う、本実施形態に係る表示処理装置４００の構成例について説明する。図１８は、表示処理装置４００及びドライバ回路５０の構成を機能的なブロックで示す説明図である。本実施形態に係る表示処理装置４００は、バックフォーカス制御部４００ａと、コーナーフォーカス制御部４００ｂと、ズーム制御部４００ｃと、フォーカス自動調整部４００ｄとを有している。これらの各制御部は、具体的には、マイクロコンピュータ等によるプログラムの実行により実現される機能である。
【００８８】
表示処理装置４００には、リモートコントローラ８０及び操作パネル７０の操作信号や、バックフォーカスポテンショメータ、コーナーフォーカスポテンショメータ及びズームポテンショメータの検出信号が入力される。また、表示処理装置４００には、投射距離センサ９５のセンサ信号が入力される。さらに、ドライバ回路５０は、バックフォーカスレンズ駆動回路５０ａと、コーナーフォーカスレンズ駆動回路５０ｂと、ズームレンズ駆動回路５０ｃとを有している。
【００８９】
（２．２．１．ズーム制御部）
ズーム制御部４００ｃは、ズームレンズ駆動回路５０ｃに対してズームレンズ駆動モータの駆動指令を出力する。本実施形態に係る表示処理装置４００では、ズーム制御部４００ｃは、ユーザの操作にしたがって投射画像の拡大率を調整可能になっている。ズーム制御部４００ｃは、投射画像の拡大率のプリセット自動調整機能を有していない点以外は、第１の実施の形態に係る表示処理装置２００のズーム制御部２００ｃと同様の構成とすることができる。
【００９０】
（２．２．２．バックフォーカス制御部）
バックフォーカス制御部４００ａは、バックフォーカスレンズ駆動回路５０ａに対してバックフォーカスレンズ駆動モータの駆動指令を出力する。本実施形態に係る表示処理装置４００では、バックフォーカス制御部４００ａは、現在の投射画像の拡大率に基づいて、バックフォーカスを自動調整可能になっている。また、バックフォーカス制御部４００ａは、ユーザの操作にしたがってバックフォーカスを調整可能になっている。バックフォーカス制御部４００ａは、バックフォーカスのプリセット自動調整機能を有していない点以外は、第１の実施の形態に係る表示処理装置２００のバックフォーカス制御部２００ａと同様の構成とすることができる。
【００９１】
本実施形態に係る短焦点型プロジェクタ装置３００は、Ｆｏｃｕｓボタンを押下することによるバックフォーカスの自動調整が実行されるようになっている。また、本実施形態に係る短焦点型プロジェクタ装置１００は、ユーザの入力操作によるバックフォーカスの調整も可能になっている。したがって、投射画像のバックフォーカスを比較的容易に調整することができる。その結果、投射画像の画質が最適な状態にされやすくなっている。係るバックフォーカスの調整は、画質調整パターン表示ボタンＰａｔｔｅｒｎを押下することにより表示されるパターン画面を表示させた状態で実行するようにしてもよい。
【００９２】
なお、本実施形態では、ユーザがＦｏｃｕｓボタンを押下することにより、バックフォーカスの自動調整処理が実行されるようにしているが、これに限られない。例えば、ズーム値が変更されたときに、ユーザの操作を伴わずに、表示処理装置４００が自動で、ズームポテンショ値に応じてバックフォーカスを調整するようにしてもよい。
【００９３】
（２．２．３．コーナーフォーカス制御部）
コーナーフォーカス制御部４００ｂは、コーナーフォーカスレンズ駆動回路５０ｂに対してコーナーフォーカスレンズ駆動モータの駆動指令を出力する。本実施形態に係る表示処理装置４００において、コーナーフォーカス制御部４００ｂは、投射距離センサ９５により検出される投射距離情報に基づいてコーナーフォーカスを自動調整可能になっている。
【００９４】
本実施形態に係る短焦点型プロジェクタ装置３００においても、上記の式（３）で表される、投射画像の拡大率と、投射画像の投射距離と、コーナーフォーカスポテンショ値との相関関係を表す関係式があらかじめ求められる。本実施形態では、図１９に実線で示すように、投射画像の拡大側（Ｗｉｄｅ）、縮小側（Ｔｅｌｅ）及びその中間（Ｍｉｄ）の状態の三点の基準特性曲線があらかじめ求められて記憶部６０に記憶されている。
【００９５】
コーナーフォーカスを、投射距離センサ９５により検出される投射距離情報及び現在の投射画像の拡大率により自動調整する場合、ユーザは、リモートコントローラ８０や操作パネル７０のＣｏｒｎｅｒＣｏｌｌｅｃｔｉｏｎボタンを選択する。コーナーフォーカス制御部４００ｂは、投射距離センサ９５から入力される投射距離情報及び現在のズームポテンショ値を読み出し、適切なレンズ位置へとコーナーフォーカスレンズ１２を移動させる駆動指令を、コーナーフォーカスレンズ駆動回路５０ｂに出力する。
【００９６】
具体的に、コーナーフォーカス制御部４００ｂは、現在のズームポテンショ値を読み出すと、図１９に示すように、記憶部６０に記憶されている基準特性曲線に基づいて、現在のズームポテンショ値に応じた特性曲線を算出する。第１の実施の形態においてすでに述べたように、式（３）における投射距離（ｘ３）の二次の項及び一次の項の係数ａ，ｂは短焦点型プロジェクタ装置３００ごとに不変の値である一方、投射画像の拡大率に応じて定数項ｃ＿ｚｏｏｍが可変となっている。
【００９７】
したがって、コーナーフォーカス制御部４００ｂは、三点の拡大率Ｗｉｄｅ，Ｍｉｄ，Ｔｅｌｅに対応する基準特性曲線の定数項ｃ＿ｚｏｏｍに基づいて、現在のズームポテンショ値に対応する定数項ｃ＿ｚｏｏｍを補間計算する。これにより、図１９に破線で示すように、現在の投射画像の拡大率に対応する、投射距離とコーナーフォーカスポテンショ値との関係を示す特性曲線が算出される。コーナーフォーカス制御部４００ｂは、係る特性曲線を用いて、検出された投射距離に対応するコーナーフォーカスポテンショ値を求め、コーナーフォーカスレンズ駆動回路５０ｂに対して駆動指令を出力する。
【００９８】
このように、本実施形態に係る短焦点型プロジェクタ装置３００は、投射距離センサ９５により検出される投射距離情報に基づいてコーナーフォーカスの自動調整が実行可能になっている。したがって、短焦点型プロジェクタ装置３００の設置状態に応じてコーナーフォーカスが自動で調整される。また、本実施形態に係る短焦点型プロジェクタ装置３００は、投射距離情報と併せて投射画像の拡大率を参照してコーナーフォーカスの自動調整を実行する。したがって、短焦点型プロジェクタ装置３００の設置状態や投射画像の拡大率に応じて、投射画像の画質を最適な状態にすることができる。
【００９９】
なお、本実施形態に係る短焦点型プロジェクタ装置３００では、ユーザがＦｏｃｕｓボタンを押下することにより、コーナーフォーカスの自動調整処理が実行されるようにしているが、これに限られない。例えば、常時、投射距離センサ９５で投射距離を検出し、ズームポテンショ値が変更された場合や投射距離が変わった場合に、ユーザの操作を伴わずに、表示処理装置４００が自動で、投射距離及びズームポテンショ値に応じてコーナーフォーカスを調整するようにしてもよい。
【０１００】
また、本実施形態に係る短焦点型プロジェクタ装置３００は、ズーム調整機能を有しているために、コーナーフォーカスの自動調整時には、投射距離情報だけでなくズームポテンショ値も参照しているが、これに限られない。ズーム調整機能を有していない短焦点型プロジェクタ装置であれば、あらかじめ記憶される特性曲線は１つとなり、投射距離情報のみに基づいてコーナーフォーカスポテンショ値を求めることができる。
【０１０１】
［２．３．画質調整手順の例］
次に、短焦点型プロジェクタ装置３００の画質調整の手順の例について説明する。図２０は、本実施形態に係る短焦点型プロジェクタ装置３００の画質調整手順の一例を示すフローチャートである。以下に説明する画質調整手順は、短焦点型プロジェクタ装置３００の設置時に行われる手順の例である。
【０１０２】
まず、ステップＳ２１００において、ユーザが、短焦点型プロジェクタ装置３００を所定の位置に配置する。本実施形態においても、短焦点型プロジェクタ装置３００の配置手順は図９に示すフローチャートに沿って実施することができる。
【０１０３】
短焦点型プロジェクタ装置３００の配置が完了すると、次いで、ユーザは、ステップＳ２２００において、短焦点型プロジェクタ装置３００の電源をオンにした後、ステップＳ２３００において、画質調整パターン表示ボタンＰａｔｔｅｒｎを押下する。これにともなって、ステップＳ２４００において、表示処理装置２００は、パターン画面を投影面ＳＣＲ上に投射する。パターン画面は、図１３に示すパターン画面とすることができる。ただし、本実施形態においては、コーナーフォーカスは自動で調整されるために、コーナーフォーカス調整用のパターンＰａｔｔｅｒｎ＿Ｃａ〜Ｐａｔｔｅｒｎ＿Ｃｄは省略してもよい。
【０１０４】
次いで、ステップＳ２５００において、ユーザは、投射画像の拡大率の調整を実施するか否かを決定する。ユーザがＺｏｏｍボタンを押下しなければ（Ｓ２５００：Ｎｏ）、そのままステップＳ２７００に進む。一方、ユーザによりＺｏｏｍボタンが押下された場合には（Ｓ２５００：Ｙｅｓ）、ステップＳ２６００において、表示処理装置４００は、ユーザによる矢印ボタンの操作にしたがってズームレンズ駆動回路５０ｃに駆動指令を出力し、ズームレンズ１４の位置を移動する。投射画像の拡大率の調整が終了すると、ユーザは決定ボタンを押下する。
【０１０５】
次いで、ステップＳ２７００において、ユーザは、投射画像のバックフォーカスの調整を実施するか否かを決定する。ユーザがＦｏｃｕｓボタンを押下しなければ（Ｓ２７００：Ｎｏ）、そのままステップＳ３０００に進む。一方、ユーザによりＦｏｃｕｓボタンが押下された場合には（Ｓ２７００：Ｙｅｓ）、ステップＳ２８００において、表示処理装置４００は、バックフォーカスの自動調整処理を実行する。バックフォーカスの自動調整処理は、図１４に示すフローチャートに沿って実行することができる。
【０１０６】
バックフォーカスの自動調整処理の終了後、ステップＳ２９００において、ユーザは必要に応じて矢印ボタンを操作し、バックフォーカスをさらに調整する。このとき、表示処理装置４００は、ユーザによる矢印ボタンの操作にしたがってバックフォーカスレンズ駆動回路５０ａに駆動指令を出力し、バックフォーカスレンズ１６の位置を移動する。バックフォーカスの調整が終了すると、ユーザは決定ボタンを押下する。
【０１０７】
次いで、ステップＳ３０００において、ユーザは、投射画像のコーナーフォーカスの調整を実施するか否かを決定する。ユーザがＣｏｒｎｅｒＣｏｒｒｅｃｔｉｏｎボタンを押下しなければ（Ｓ３０００：Ｎｏ）、そのままステップＳ３２００に進む。一方、ユーザによりＣｏｒｎｅｒＣｏｒｒｅｃｔｉｏｎボタンが押下された場合には（Ｓ３０００：Ｙｅｓ）、ステップＳ３１００において、表示処理装置４００は、投射距離センサ９５により検出される投射距離情報に基づくコーナーフォーカスの自動調整を実行する。
【０１０８】
図２１は、コーナーフォーカスの自動調整の処理例を示すフローチャートである。コーナーフォーカスの自動調整を実行するにあたり、表示処理装置４００は、まず、ステップＳ３１１０において、現在のズームポテンショ値を検出する。次いで、表示処理装置４００は、ステップＳ３１２０において、図１９に示すように、投射距離とコーナーフォーカスポテンショ値との関係を示す特性曲線であって、現在のズームポテンショ値に対応した特性曲線を補間計算により算出する。
【０１０９】
次いで、表示処理装置４００は、ステップＳ３１３０において、投射距離センサ９５により検出される投射距離情報を読み込む。次いで、表示処理装置４００は、ステップＳ３１４０において、ステップＳ３１２０で求めた特性曲線に基づいて、現在の投射距離に対応するコーナーフォーカスポテンショ値を演算により求める。次いで、表示処理装置４００は、ステップＳ３１５０において、算出されたコーナーフォーカスポテンショ値の位置にコーナーフォーカスレンズ１２を移動するよう、コーナーフォーカスレンズ駆動回路５０ｂに駆動指令を出力する。これにより、コーナーフォーカス自動調整処理が完了する。コーナーフォーカスの自動調整が終了すると、ユーザは決定ボタンを押下する。
【０１１０】
図２０に戻り、コーナーフォーカスの自動調整の終了後、次いで、ステップＳ３２００において、ユーザは、投影面ＳＣＲに投射された投射画像の画枠が歪んでいないか判別する。画枠に歪みが有ると判定した場合には（Ｓ３２００：Ｎｏ）、ステップＳ３３００に進み、ユーザは、短焦点型プロジェクタ装置１００の配置状態を物理的に変更して画枠の歪み調整を行う。ユーザによる画枠の歪み調整は、図１５に示すフローチャートにしたがって実施することができる。画枠の歪み調整が終わった後は、投射画面サイズや、投射画像の焦点距離がずれているおそれあるために、ステップＳ２５００に戻り、上述のフローにしたがって各ステップの動作又は処理を繰り返す。最終的に、ステップＳ３２００において、投射画像のフォーカスが適切な状態になり、画枠の歪みもないとユーザが判定した場合には（Ｓ３２００：Ｙｅｓ）、画質調整を終了する。
【０１１１】
なお、本実施形態に係る短焦点型プロジェクタ装置３００は、バックフォーカス及びコーナーフォーカスが自動調整される構成であるために、図２０に示すフローチャートにおいて、バックフォーカスの調整と、コーナーフォーカスの調整との順序は入れ替えてもよい。
【０１１２】
以上説明したように、本実施形態に係る短焦点型プロジェクタ装置３００によれば、コーナーフォーカス及びバックフォーカスが自動調整されるようになっている。したがって、ユーザによるフォーカス調整が比較的難しい短焦点型プロジェクタ装置であっても、投射画像のフォーカス調整を比較的容易に実施することができる。特に、本実施形態に係る短焦点型プロジェクタ装置３００は、投射距離を検出するための投射距離センサ９５を備えており、検出される投射距離情報と現在の投射画像の拡大率とに基づいて、コーナーフォーカスを適切に調整することができる。したがって、本実施形態に係る短焦点型プロジェクタ装置３００は、ユーザの所望の画面サイズの投射画像を高画質で投射することができる。
【０１１３】
＜３．まとめ＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１４】
例えば、上述の第２の実施の形態では、短焦点型プロジェクタ装置３００はプリセット自動調整機能を有していないが、第１の実施の形態に係る短焦点型プロジェクタ装置１００のプリセット自動調整機能を有していてもよい。
【０１１５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１６】
なお、以下のような構成も本開示の技術的範囲に属する。
（１）光源と、
前記光源から発せられた光束を一次像面となる画像変調素子の面上に均一照射する照明光学系と、
投射画像の焦点距離を至近距離に設定可能であり、前記画像変調素子で変調された前記一次像面の画像情報を二次像面となる投影面上へ拡大投射する投射光学系と、
前記投射画像の少なくとも角領域の焦点距離を、前記投射画像の投射距離に応じた焦点距離に自動調整可能なコーナーフォーカス制御部と、
を備える、投射型画像表示装置。
（２）前記コーナーフォーカス制御部は、前記少なくとも角領域の焦点距離を、前記投射画像の投射距離及び拡大率に応じた焦点距離に自動調整可能に構成される、前記（１）に記載の投射型画像表示装置。
（３）前記コーナーフォーカス制御部は、前記投射画像の拡大率に対応する前記投射距離と前記角領域の焦点距離との相関関係に基づいて、前記角領域の焦点距離を、前記投射画像の投射距離に応じた焦点距離に自動調整するよう構成される、前記（１）又は（２）に記載の投射型画像表示装置。
（４）前記角領域の焦点距離を前記投射距離に関連付けて記憶した少なくとも１つのプリセット値が設定され、前記コーナーフォーカス制御部は、ユーザにより選択されたプリセット値にしたがって前記角領域の焦点距離を自動調整するよう構成される、前記（１）〜（３）のいずれか一項に記載の投射型画像表示装置。
（５）前記投射画像の少なくとも中央領域の焦点距離を調整可能なバックフォーカス制御部、及び前記投射画像の拡大率を調整可能なズーム制御部をさらに備え、
前記中央領域の焦点距離、前記角領域の焦点距離及び前記拡大率を前記投射画像の投射距離に応じて互いに関連付けて記憶した少なくとも１つのプリセット値群があらかじめ設定され、
前記バックフォーカス制御部、前記コーナーフォーカス制御部及び前記ズーム制御部は、ユーザにより選択されたプリセット値群にしたがって前記中央領域の焦点距離、前記角領域の焦点距離及び前記拡大率を自動調整するよう構成される、前記（１）〜（４）のいずれか一項に記載の投射型画像表示装置。
（６）前記プリセット値群が、ユーザにより設定可能である、前記（５）に記載の投射型画像表示装置。
（７）前記投射距離を検出する投射距離検出部を備え、
前記コーナーフォーカス制御部は、検出された投射距離に応じて前記角領域の焦点距離を自動調整するよう構成される、前記（１）〜（６）のいずれか一項に記載の投射型画像表示装置。
（８）前記コーナーフォーカス制御部は、あらかじめ記憶した少なくとも二つの前記投射画像の拡大率に対応する前記投射距離と前記角領域の焦点距離との相関関係に基づき、設定されている前記投射画像の拡大率に応じた前記相関関係を求め、前記投射距離に応じた前記角領域の焦点距離を求めて前記自動調整を行うよう構成される、前記（７）に記載の投射型画像表示装置。
（９）前記コーナーフォーカス制御部は、前記投射画像の拡大率の変更がされた場合に前記角領域の焦点距離を自動調整するよう構成される、前記（２）〜（８）のいずれか一項に記載の投射型画像表示装置。
（１０）前記コーナーフォーカス制御部は、さらにユーザの操作にしたがって前記角領域の焦点距離を調整可能に構成される、前記（１）〜（９）のいずれか一項に記載の投射型画像表示装置。
（１１）至近距離の投影面上へ拡大投射する投射画像の少なくとも角領域の焦点距離を、前記投射画像の投射距離に応じた焦点距離に自動調整する、投射型画像表示装置の制御方法。
【符号の説明】
【０１１７】
１０    投射光学系
１２    コーナーフォーカスレンズ
１４    ズームレンズ
１６    バックフォーカスレンズ
３０    照明光学系
４０    光源
５０    ドライバ回路
５０ａ    バックフォーカスレンズ駆動回路
５０ｂ    コーナーフォーカスレンズ駆動回路
５０ｃ    ズームレンズ回路
６０    記憶部
７０    操作パネル
８０    リモートコントローラ
９０    筐体
９５    投射距離センサ
１００，３００    短焦点型プロジェクタ装置（投射型画像表示装置）
２００，４００    表示処理装置
２００ａ，４００ａ    バックフォーカス制御部
２００ｂ，４００ｂ    コーナーフォーカス制御部
２００ｃ，４００ｃ    ズーム制御部
２００ｄ    プリセット値設定部
【図１】
2015215378.tif 000006
【図２】
2015215378.tif 000007
【図３】
2015215378.tif 000008
【図４】
2015215378.tif 000009
【図５】
2015215378.tif 000010
【図６】
2015215378.tif 000011
【図７】
2015215378.tif 000012
【図８】
2015215378.tif 000013
【図９】
2015215378.tif 000014
【図１０】
2015215378.tif 000015
【図１１】
2015215378.tif 000016
【図１２】
2015215378.tif 000017
【図１３】
2015215378.tif 000018
【図１４】
2015215378.tif 000019
【図１５】
2015215378.tif 000020
【図１６】
2015215378.tif 000021
【図１７】
2015215378.tif 000022
【図１８】
2015215378.tif 000023
【図１９】
2015215378.tif 000024
【図２０】
2015215378.tif 000025
【図２１】
2015215378.tif 000026